(57)【要約】【課題】減算型の課金装置が装着された複写機において、投入された料金内で、ユーザが必要とするコピーをリーズナブルな設定で実行する。【解決手段】減算型の課金装置１と、課金装置１に投入された料金を記憶する記憶装置２と、コピーに必要な料金を算出する算出装置３と、投入料金不足を表示する操作表示装置４と、現在のコピーの設定より低料金でコピーできる設定を検索する検索装置５を備え、さらに各装置を統括制御する制御装置６を備え、制御装置６は、課金装置１への投入金額がコピーに必要な料金に足りない場合はコピーを実行せずに、検索装置５により検索した設定の少なくとも一部を操作表示装置４に表示する制御を行うようにした。【選択図】図１
2007140306.tif 000002
【特許請求の範囲】
【請求項１】
減算型の課金手段と、該課金手段に投入された料金を記憶する記憶手段と、コピーに必要な料金を算出する算出手段と、投入料金不足を表示する操作表示手段と、現在のコピーの設定より低料金でコピーできる設定を検索する検索手段と、前記課金手段への投入金額がコピーに必要な料金に足りない場合はコピーを実行せずに前記検索手段により検索した設定の少なくとも一部を前記操作表示手段に表示する制御を行う制御手段と、を備えたことを特徴とする複写機。
【請求項２】
請求項１に記載の複写機において、前記制御手段は、料金不足でコピーを実行できないときに、不足金額を操作表示手段に表示し、不足金額の追加によって最初の設定でコピーを開始する制御を行うことを特徴とする複写機。
【請求項３】
請求項１に記載の複写機において、前記制御手段は、料金不足でコピーを実行できないときに、そのままの設定でコピーを開始すると料金不足により途中で停止する旨を前記操作表示手段に表示する制御を行うことを特徴とする複写機。
【請求項４】
請求項１に記載の複写機において、前記操作表示手段は、料金不足によりコピーを実行できないときに、コピーをキャンセルする入力を受け付ける機能を有することを特徴とする複写機。
【請求項５】
請求項１に記載の複写機において、前記制御手段は、コピー可能な設定の各表示に対して、必要なコピー料金を前記操作表示手段に表示する制御を行うことを特徴とする複写機。
【請求項６】
請求項１に記載の複写機において、前記制御手段は、コピーが可能な設定が表示されているときに追加投入された料金に従ってコピー可能な設定を追加する制御を行うことを特徴とする複写機。
【請求項７】
請求項１に記載の複写機において、前記制御手段は、前記課金手段への投入金額がコピーに必要な料金に足りている場合でも他に低料金でコピーできる設定があれば、コピーを実行せずに低料金でコピーできる設定があることを前記操作表示手段に表示する制御を行うことを特徴とする複写機。
【発明の詳細な説明】
【技術分野】
【０００１】
本発明は、減算型の課金装置を装着した複写機に関する。
【背景技術】
【０００２】
コインラックのような減算型の課金装置を装着した複写機は、一般的には店舗に設置されることが多く複写機の設定に詳しくないユーザが多く使う。このようなユーザは、コピーの設定によっては料金を抑えられることを知らない場合が多く、高い料金を払ってコピーを行っている場合がある。
例えば、特許文献１記載の技術は、コピー前にコピー料金を計算し、課金装置への投入金額がコピーに必要な料金に足りない場合はコピーをしないようにしている。
【特許文献１】特開２００５−０６２６４７公報
【発明の開示】
【発明が解決しようとする課題】
【０００３】
しかし上記従来技術は、ユーザの意図していた設定とは異なるが、その方がリーズナブルにコピーできる場合があることをユーザに通知していないため、コピーを開始するには料金を追加するしかなく高い料金の設定でコピーを取ってしまう問題は解消できない。
本発明は、減算型の課金装置が装着された複写機において、投入された料金内で、ユーザが必要とするコピーをリーズナブルな設定で実行することを目的とする。
【課題を解決するための手段】
【０００４】
上記目的を達成するために、請求項１記載の発明は、減算型の課金手段と、該課金手段に投入された料金を記憶する記憶手段と、コピーに必要な料金を算出する算出手段と、投入料金不足を表示する操作表示手段と、現在のコピーの設定より低料金でコピーできる設定を検索する検索手段と、前記課金手段への投入金額がコピーに必要な料金に足りない場合はコピーを実行せずに前記検索手段により検索した設定の少なくとも一部を前記操作表示手段に表示する制御を行う制御手段と、を備えた複写機を特徴とする。
請求項２記載の発明は、請求項１に記載の複写機において、前記制御手段は、料金不足でコピーを実行できないときに、不足金額を操作表示手段に表示し、不足金額の追加によって最初の設定でコピーを開始する制御を行うことを特徴とする。
請求項３記載の発明は、請求項１に記載の複写機において、前記制御手段は、料金不足でコピーを実行できないときに、そのままの設定でコピーを開始すると料金不足により途中で停止する旨を前記操作表示手段に表示する制御を行うことを特徴とする。
請求項４記載の発明は、請求項１に記載の複写機において、前記操作表示手段は、料金不足によりコピーを実行できないときに、コピーをキャンセルする入力を受け付ける機能を有することを特徴とする。
請求項５記載の発明は、請求項１に記載の複写機において、前記制御手段は、コピー可能な設定の各表示に対して、必要なコピー料金を前記操作表示手段に表示する制御を行うことを特徴とする。
請求項６記載の発明は、請求項１に記載の複写機において、前記制御手段は、コピーが可能な設定が表示されているときに追加投入された料金に従ってコピー可能な設定を追加する制御を行うことを特徴とする。
請求項７記載の発明は、請求項１に記載の複写機において、前記制御手段は、前記課金手段への投入金額がコピーに必要な料金に足りている場合でも他に低料金でコピーできる設定があれば、コピーを実行せずに低料金でコピーできる設定があることを前記操作表示手段に表示する制御を行うことを特徴とする。
【発明の効果】
【０００５】
本発明によれば、制御手段により課金手段への投入金額がコピーに必要な料金に足りない場合はコピーを実行せずに検索手段により検索した設定の少なくとも一部を操作表示手段に表示する制御を行うことで、ユーザが希望するコピーが合理的に実行可能となりユーザの満足度向上が期待できる。
【発明を実施するための最良の形態】
【０００６】
以下、本発明の実施形態を図面に従って説明する。
図１は本発明の実施形態に係る複写機の機能ブロック図である。
本実施形態の複写機は、減算型の課金装置（課金手段）１、課金装置１に投入された料金を記憶する記憶装置（記憶手段）２、コピーに必要な料金を算出する算出装置（算出手段）３、投入料金不足を表示する操作表示装置（操作表示手段）４、現在のコピーの設定よりリーズナブルにコピーできる設定を検索する検索装置（検索手段）５を備え、さらに各装置を統括制御する制御装置（制御手段）６を備える。そして、制御装置６は、課金装置１への投入金額がコピーに必要な料金に足りない場合はコピーを実行せずに、検索装置５により検索した設定の少なくとも一部を表示装置４に表示する制御を行う。例えば、検索した中から投入料金内でコピー可能な設定を表示装置４に表示する制御を行うようにした。
【０００７】
以下、具体的な制御例をＡ３のコピーが２０円、Ａ４のコピーが１０円の複写機を例にとって説明する。
Ａ３原稿を２部コピーしたいユーザがいたと仮定する。すると、ユーザはコインラックに１００円を投入する。投入料金が複写機の本体側に通知され、記憶装置２はこれを記憶する。
ここで、ユーザが倍率１００％（デフォルトのまま）、トレイ自動（デフォルトのまま）、部数２の設定でコピーを開始すると、制御装置６は原稿枚数を確定する。コピー方法により以下の原稿枚数の確定方法が実施される。
ユーザがＡＤＦに原稿をセットした場合はスキャンを先に実行する。スキャン毎に原稿枚数をカウントし全スキャン完了時に原稿枚数を確定する。
ユーザが圧板からの文章蓄積コピーを実施した場合は、スキャン毎に原稿枚数をカウントし「次原稿なし」が選択された時に原稿枚数を確定する。
ユーザが操作表示装置４から原稿枚数を入力した場合は、入力された数値を原稿枚数とし確定する。この際の原稿枚数の入力画面は課金装置２が装着された場合のみ表示され、「原稿枚数が分かっている場合は入力してください」等の入力を強制しないレベルの表示を行う。
なお、圧板からの１枚コピーの場合は原稿枚数を１枚として確定する。
次に、制御装置６は原稿枚数とコピーの設定情報から以下の計算式によってコピーに必要な料金を確定する。
例えば原稿が５枚であれば、原稿（５枚）×部数（２部）×Ａ３料金（２０円）＝コピーに必要な料金（２００円）を確定する。
これにより、制御装置６は投入料金（１００円）がコピーに必要な料金（２００円）に足りないことを認識して、操作表示装置４に料金不足の対応画面を表示させるようにする。
【０００８】
以下、料金不足時の対応について説明する。
第１のパターンとしては、例えば、図２に示すように料金の追加を促すメッセージと、設定変更の選択画面とコピーキャンセルを表示する。
そして、不足分の料金が追加投入された場合は、最初の設定のままで、図示しないが「コピーできます」という画面を表示してスタートボタンが押下されることでコピーをスタートする、または自動的にコピーが開始する。
一方、コピーキャンセルが選択された場合、制御装置６は課金装置２にコピーキャンセルを通知し自動で料金を返却する。
また設定変更が選択された場合、図３に示すように投入された料金内でコピー可能な設定変更の候補を表示する。そして、ユーザが候補を選択し操作表示装置４のスタートボタンを押下すると、選択した設定に変更されたコピーが開始する。
第２のパターンとしては、図４に示すように操作表示装置４に料金の追加を促すメッセージと、設定変更の選択画面と強行スタートを表示する。
ここで、不足分の料金が追加投入された場合、最初の設定のままで、「コピーできます」を表示してスタートボタンが押下されることでコピーをスタートする。または自動的にコピーが開始する。
一方、設定変更が選択された場合、図５に示すように投入された料金内でコピー可能な設定変更の候補を表示する。そして候補を選択しスタートボタンを押下すると、選択した設定に変更されたコピーが開始する。
また、強行スタートが選択された場合、コピー途中で料金不足が発生しコピーが停止する旨を表示し、コピーをスタートするかキャンセルするかをユーザに問い合わせる。「コピースタート」が選択された場合はコピーが開始する。この場合は、コピー途中で料金不足が発生するが、ユーザはこれを認識しているため問題はない。「もどる」が選択された場合は図４の表示に戻る。課金装置２の返却ボタン押下のよって投入料金が０円となったらコピーがキャンセルされたと認識する。
【０００９】
以上、最初に１００円を投入した場合について説明したが、最初に５０円投入していた場合の実施例について追記すると、図３の画面では５０円でコピー可能な「Ｎｉｎ１→４ｉｎ１」（必要な金額の１／４であることを示している）のみが表示される。そこで料金を追加投入すると、投入金額の合計が１００円になった時点で、「用紙サイズＡ３→Ａ４（縮小コピー）」と「Ｎｉｎ１→４ｉｎ１」が図３の画面で表示される。
また、最初からコピー完了に必要な料金２００円が投入されていたとしても、「他に投入料金内でコピーできる設定があります」等のメッセージを表示し、図３の画面で設定変更の内容が表示されてもよい。
【図面の簡単な説明】
【００１０】
【図１】本発明の実施形態に係る複写機の機能ブロック図である。
【図２】操作表示装置の第１の表示例を示す図である。
【図３】操作表示装置の第２の表示例を示す図である。
【図４】操作表示装置の第３の表示例を示す図である。
【図５】操作表示装置の第４の表示例を示す図である。
【符号の説明】
【００１１】
１  課金装置、２  記憶装置、３  算出装置、４  操作表示装置、５  検索装置、６  制御装置
【図１】
2007140306.tif 000003
【図２】
2007140306.tif 000004
【図３】
2007140306.tif 000005
【図４】
2007140306.tif 000006
【図５】
2007140306.tif 000007